(57)【要約】【課題】  簡単安価な構造で静音化され放熱部品を効率良く冷やすこと。【解決手段】    メインシャーシ１１内にターンテーブル１２と光ピックアップ１３とを備えた装置本体２が筐体１内に配置され、該筐体１内の装置本体２から所定間隔離れた位置にメイン基板３が配置されており、前記メイン基板３を介して装置本体２を制御して、ターンテーブル１２によりディスクＤを高速回転させ、該ディスクＤに記録されている情報を光ピックアップ１３により読み取るようにしたディスク装置において、前記ディスクＤの高速回転で発生する風を受けて回転することによりその風をメイン基板３に向けて送り出す風車２１が筐体１内のメインシャーシ１１とメイン基板３との間に設けられ、ターンテーブル１２上のディスクＤを覆うカバー２２がメインシャーシ１１上に固定されると共に、該カバー２２に形成した送風口２３が前記風車２１に向けられている。【選択図】        図１
2007102947.tif 000002
【特許請求の範囲】
【請求項１】
メインシャーシ内にターンテーブルと光ピックアップとを備えた装置本体が筐体内に配
置され、該筐体内の装置本体から所定間隔離れた位置にメイン基板が配置され、前記ター
ンテーブルの上方に配置したクランパの上面に羽根体を設けており、前記メイン基板を介
して装置本体を制御して、前記ターンテーブルとクランパとでディスクを挟持し、ターン
テーブルによりディスクを高速回転させ、該ディスクに記録されている情報を光ピックア
ップにより読み取り、前記ターンテーブルによりディスク及びクランパを介して前記羽根
体を高速回転させて風を発生させるようにしたディスク装置において、前記羽根体に替え
て風車が筐体内のメインシャーシとメイン基板との間に配置され、該風車が、前記筐体の
天板部に回転可能に吊り下げた支軸と、該支軸に放射状に一体突設した複数の羽根とを有
し、該各羽根が送風方向に沿って斜め下向きに所定角度傾斜され、前記ターンテーブル上
のディスクを覆うカバーがメインシャーシ上に固定されると共に、該カバーに形成した送
風口が前記風車に向けられており、前記ディスクの高速回転で発生する風を送風口から風
車に向けて送り出して該風車を回転させ、その回転する風車により風をメイン基板に向け
て送り出すようにしたことを特徴とするディスク装置。
【請求項２】
メインシャーシ内にターンテーブルと光ピックアップとを備えた装置本体が筐体内に配
置され、該筐体内の装置本体から所定間隔離れた位置にメイン基板が配置されており、前
記メイン基板を介して装置本体を制御して、ターンテーブルによりディスクを高速回転さ
せ、該ディスクに記録されている情報を光ピックアップにより読み取るようにしたディス
ク装置において、前記ディスクの高速回転で発生する風を受けて回転することによりその
風をメイン基板に向けて送り出す風車が前記筐体内に設けられていることを特徴とするデ
ィスク装置。
【請求項３】
前記風車がメインシャーシとメイン基板との間に設けられていることを特徴とする請求
項２に記載のディスク装置。
【請求項４】
前記風車が、筐体の天板部に回転可能に吊り下げた支軸と、該支軸に放射状に一体突設
した複数の羽根とを有することを特徴とする請求項２または３に記載のディスク装置。
【請求項５】
前記各羽根が送風方向に沿って斜め下向きに所定角度傾斜されていることを特徴とする
請求項４に記載のディスク装置。
【請求項６】
前記ターンテーブル上のディスクを覆うカバーがメインシャーシ上に固定されると共に
、該カバーに形成した送風口が前記風車に向けられていることを特徴とする請求項２〜５
のいずれかに記載のディスク装置。
【発明の詳細な説明】
【技術分野】
【０００１】
本発明は、例えばＤＶＤプレーヤやＤＶＤレコーダなどのディスクの再生や記録または
消去を行うためのディスク装置に関し、特に、簡単な構造で放熱部品を効果的に冷却する
ようにしたものである。
【背景技術】
【０００２】
ディスク装置の技術として図８〜図１０に示すものがある。これは、天板部１ａ及び底
板部１ｂと前面板部１ｃとにより矩形箱状の合成樹脂製筐体１が形成され、該筐体１内の
中央に装置本体２が配置され、その筐体１内の装置本体２から所定間隔離れた位置にメイ
ン基板３が配置されると共に、該メイン基板３の下方にＡＶ基板４が配置され、その両基
板３，４がフレキシブルフラットケーブル５を介して接続されと共に、装置本体２から延
びるフレキシブルフラットケーブル６がメイン基板３に接続されている。なお、７は底板
部１ｂに立設した脚部であって、その上に各基板３，４がビス８により止着されている。
【０００３】
前記装置本体２は、ディスクＤ載置用トレイ１０を前後進ａ，ｂ可能に支持するメイン
シャーシ１１と、該メインシャーシ１１内に上下動可能に配置したドライブシャーシ（図
示せず）に搭載したターンテーブル１２及び光ピックアップ１３とを有し、ターンテーブ
ル１２に対向してメインシャーシ１１の左右両側壁部１１ａ，１１ｂ上に架設した横桁１
４に磁石付きクランパ１５が一定範囲内上下動可能に配置されている。なお、図９中、１
６はターンテーブル１２を矢印ｃ方向に高速回転させるためのスピンドルモータである。
【０００４】
装置本体２の動作を説明すると、プレイモードで、メイン基板３及びフレキシブルフラ
ットケーブル６を介して装置本体２を制御することにより、ドライブシャーシを上動させ
てターンテーブル１２によりディスクＤを持ち上げ、該ディスクＤをターンテーブル１２
とクランパ１５とで挟持し、スピンドルモータ１６を駆動してターンテーブル１２により
ディスクＤを高速回転させ、該ディスクＤに記録されている情報を光ピックアップ１３に
より読み取り、再生や記録または消去を行う。
【０００５】
上記構成によれば、プレイモードで、光ピックアップ１３及びスピンドルモータ１６の
駆動や各基板３，４上のＩＣ部品などの放熱性部品による放熱で筐体１内が局部的に高熱
状態となり、その高熱状態が続くと、電子部品が熱破壊されるおそれがある。
【０００６】
前記ディスクＤを高速回転させると、風が発生するが、その風は分散されて各基板３，
４に向けて送り出されるわけではないので、その各基板３，４上の放熱部品を効率良く冷
やすことができない。
【０００７】
従来、上記問題点を解消する技術として特許文献１に記載したものがある。これは、図
９に二点鎖線で示すように、クランパ１５の上面に羽根体１８を設けたものであって、タ
ーンテーブル１２によりディスクＤ及びクランパ１５を介して羽根体１８を高速回転させ
、風を発生させるものである。
【特許文献１】特開２００２−２３０９６２号公報
【発明の開示】
【発明が解決しようとする課題】
【０００８】
上記従来の構成では、羽根体１８を高速回転させて強い風を発生させるので、その強い
風が筐体１内の全体に流通され、該筐体１内が局部的に高温状態になるのを防ぎ、各基板
３，４上の放熱部品を効率良く冷やすことができる。しかし、羽根体１８を高速回転させ
ることによる空気抵抗が大きいため、風切り音が大きくて騒音が発生するばかりでなく、
スピンドルモータ１６として駆動力が大きいものが必要で、コストアップになると共に、
ディスクＤの高速回転に過大な負荷がかかって、該ディスクＤの回転制御に誤差が生じる
おそれがあり、しかも、羽根体１８を設けた分だけ嵩張って、筐体１の高さＨが大きくな
り、ユーザが要望する薄型化や小型化に反することになる。
【０００９】
また、図９に一点鎖線で示すように、天板部１ａにモータ１９を垂設し、該モータ１９
により羽根体２０を回転させて風を発生させることも考えられるが、これでは、モータ１
９を用いていることから、コストアップになると共に、ランニングコストが高くつく。
【００１０】
本発明は、上記従来の欠点に鑑み、簡単安価な構造で静音化され放熱部品を効率良く冷
やすことができるようにしたディスク装置を提供することを目的としている。
【課題を解決するための手段】
【００１１】
上記目的を達成するため、請求項１に記載の発明は、メインシャーシ内にターンテーブ
ルと光ピックアップとを備えた装置本体が筐体内に配置され、該筐体内の装置本体から所
定間隔離れた位置にメイン基板が配置され、前記ターンテーブルの上方に配置したクラン
パの上面に羽根体を設けており、前記メイン基板を介して装置本体を制御して、前記ター
ンテーブルとクランパとでディスクを挟持し、ターンテーブルによりディスクを高速回転
させ、該ディスクに記録されている情報を光ピックアップにより読み取り、前記ターンテ
ーブルによりディスク及びクランパを介して前記羽根体を高速回転させて風を発生させる
ようにしたディスク装置において、前記羽根体に替えて風車が筐体内のメインシャーシと
メイン基板との間に配置され、該風車が、前記筐体の天板部に回転可能に吊り下げた支軸
と、該支軸に放射状に一体突設した複数の羽根とを有し、該各羽根が送風方向に沿って斜
め下向きに所定角度傾斜され、前記ターンテーブル上のディスクを覆うカバーがメインシ
ャーシ上に固定されると共に、該カバーに形成した送風口が前記風車に向けられており、
前記ディスクの高速回転で発生する風を送風口から風車に向けて送り出して該風車を回転
させ、その回転する風車により風をメイン基板に向けて送り出すようにしたことを特徴と
している。
【００１２】
請求項２に記載の発明は、メインシャーシ内にターンテーブルと光ピックアップとを備
えた装置本体が筐体内に配置され、該筐体内の装置本体から所定間隔離れた位置にメイン
基板が配置されており、前記メイン基板を介して装置本体を制御して、ターンテーブルに
よりディスクを高速回転させ、該ディスクに記録されている情報を光ピックアップにより
読み取るようにしたディスク装置において、前記ディスクの高速回転で発生する風を受け
て回転することによりその風をメイン基板に向けて送り出す風車が前記筐体内に設けられ
ていることを特徴としている。
【００１３】
請求項３に記載の発明は、請求項２に記載の発明において、前記風車がメインシャーシ
とメイン基板との間に設けられていることを特徴としている。
【００１４】
請求項４に記載の発明は、請求項２または３に記載の発明において、前記風車が、筐体
の天板部に回転可能に吊り下げた支軸と、該支軸に放射状に一体突設した複数の羽根とを
有することを特徴としている。
【００１５】
請求項５に記載の発明は、請求項４に記載の発明において、前記各羽根が送風方向に沿
って斜め下向きに所定角度傾斜されていることを特徴としている。
【００１６】
請求項６に記載の発明は、請求項２〜５のいずれかに記載の発明において、前記ターン
テーブル上のディスクを覆うカバーがメインシャーシ上に固定されると共に、該カバーに
形成した送風口が前記風車に向けられていることを特徴としている。
【発明の効果】
【００１７】
請求項１に記載の発明は実施の一形態（図１〜図７参照）に対応するものであって、こ
れによれば、ディスクの高速回転で発生する風をカバーで集めて送風口から風車に向けて
送り出すので、その風車を確実に回転させて風をメイン基板に向けて送り出すことができ
、そのメイン基板上の放熱部品を効率良く冷やして電子部品の熱破壊を防ぐことができる
。また、風車を回転させるためのモータなど駆動装置が不要であるから、安価でランニン
グコストもかからず、経済的である。更に、ターンテーブルに対して従来のように過大な
空気抵抗がかからないから、そのターンテーブルを回転させるスピンドルモータとして駆
動力が小さいものでよく、コストダウンを図ることができ、ディスクの回転制御を誤差が
生じないように精密に行うことができる。
【００１８】
また更に、風車がメインシャーシとメイン基板との間の空間に設けられて嵩張らないか
ら、筐体の高さを小さくしてユーザの要望に応じて薄型化や小型化を図ることができる。
【００１９】
しかも、風車が支軸と複数の羽根とを有しており、構造簡単で安価に製作することがで
き、軽量で静かに回るから、不快な風切り音も生じない。また、斜め下向きに傾斜させた
各羽根により風を下向きにも送り出すので、メイン基板の下方も効率良く冷やすことがで
きる。
【００２０】
請求項２に記載の発明は基本形態に対応するものであって、これによれば、ディスクの
高速回転で発生する風を風車で受けてメイン基板に向けて送り出すため、そのメイン基板
上の放熱部品を効率良く冷やして電子部品の熱破壊を防ぐことができる。また、風車を回
転させるためのモータなど駆動装置が不要であるから、安価でランニングコストもかから
ず、経済的である。更に、ターンテーブルに対して従来のように過大な空気抵抗がかから
ないから、そのターンテーブルを回転させるスピンドルモータとして駆動力が小さいもの
でよく、コストダウンを図ることができ、ディスクの回転制御を誤差が生じないように精
密に行うことができる。
【００２１】
請求項３に記載の発明によれば、風車がメインシャーシとメイン基板との間の空間に設
けられて嵩張らないから、筐体の高さを小さくしてユーザの要望に応じて薄型化や小型化
を図ることができる。
【００２２】
請求項４に記載の発明によれば、風車が支軸と複数の羽根とを有しており、構造簡単で
安価に製作することができ、軽量で静かに回るから、不快な風切り音も生じない。
【００２３】
請求項５に記載の発明によれば、斜め下向きに傾斜させた各羽根により風を下向きにも
送り出すので、メイン基板の下方も効率良く冷やすことができる。
【００２４】
請求項６に記載の発明によれば、ディスクの高速回転で発生する風をカバーで集めて送
風口から風車に向けて送り出すので、その風車を確実に回転させて風をメイン基板に向け
て送り出すことができる。
【発明を実施するための最良の形態】
【００２５】
図１〜図３は本発明の実施の一形態であるディスク装置を示すものであって、風車２１
が筐体１内のメインシャーシ１１とメイン基板３との間に配置され、ターンテーブル１２
上のディスクＤを覆うカバー２２がメインシャーシ１１上に固定されると共に、該カバー
２２に形成した送風口２３が風車２１に向けられている。上記以外の構成は図８〜図１０
に示す構成とほぼ同じであるから、同一部分に同一符号を付してその説明を省略する。
【００２６】
前記カバー２２は、図４及び図５に示すように、メインシャーシ１１とほぼ同幅のカバ
ー本体２２ａと、該カバー本体２２ａの両側縁から下向きに直角に折れ曲がってメインシ
ャーシ１１の各側壁部１１ａ，１１ｂ上に載置される左右両側板部２２ｂ，２２ｃと、カ
バー本体２２ａの円弧状後端縁から下向きに直角に折れ曲がって一方の側板部２２ｂに一
体形成された円弧状後板部２２ｄとを有し、該後板部２２ｄの後端と他方の側板部２２ｃ
の後端との間に一体突設した略コ字状枠２２ｅにより送風口２３が形成され、前記各側板
部２２ｂ，２２ｃに一体突設した複数（この実施の形態では４本）の略Ｌ字状係止片２４
をメインシャーシ１１の各側壁部１１ａ，１１ｂに一体突設した複数の係止ブロック２５
上に載置すると共に、該各係止片２４を各係止ブロック２５の側面に形成した凹溝２５ａ
内に嵌入させ、その各係止片２４の先端フック部２４ａを各係止ブロック２５の下面に係
合させることにより、カバー２２をメインシャーシ１１上に固定している。
【００２７】
上記構成によれば、ディスクＤを矢印ｃ方向に高速回転させることにより発生する風を
カバー２２で集めて送風口２３から風車２１に向けて送り出すので、その風車２１を確実
に回転させて風をメイン基板３に向けて矢印ｄ方向に送り出し、該メイン基板３上の放熱
部品を効率良く冷やして電子部品の熱破壊を防ぐことができると共に、その風が筐体１内
を旋回して装置本体２に向けて流れ、その装置本体２内のスピンドルモータ１６や光ピッ
クアップ１３も冷やすことができる。
【００２８】
前記風車２１は、合成樹脂により成形され、図６に示すように、支軸２１ａと、該支軸
２１ａの下端に同心状に一体突設した大径の円筒状胴部２１ｂと、該胴部２１ｂの外周面
に放射状に一体突設した複数（この実施の形態では８枚）の羽根２１ｃとを有し、風車２
１に対向して筐体１の天板部１ａの下面にボス部２６が一体突設され、該ボス部２６の底
壁部に貫設した貫通孔２７に風車２１の支軸２１ａを挿通し、該支軸２１ａの上端環状溝
２８に嵌合させた１つ割り状ストップリング２９をボス部２６の底壁部の上面に当接させ
ることにより、その風車２１が筐体１の天板部１ａに回転可能に吊り下げられている。な
お、３０は天板部１ａに貼着されてボス部２６を隠す目隠しシールである。
【００２９】
上記構成によれば、風車２１が支軸２１ａと複数の羽根２１ｃとを有しており、構造簡
単で安価に製作することができ、軽量で静かに回るから、不快な風切り音も生じない。
【００３０】
また、風車２１を回転させるためのモータなど駆動装置が不要であるから、安価でラン
ニングコストもかからず、経済的である。更に、ターンテーブル１２に対して従来のよう
に過大な空気抵抗がかからないから、そのターンテーブル１２を回転させるスピンドルモ
ータ１６として駆動力が小さいものでよく、コストダウンを図ることができ、ディスクＤ
の回転制御を誤差が生じないように精密に行うことができる。
【００３１】
また更に、風車２１がメインシャーシ１１とメイン基板３との間の空間に設けられて嵩
張らないから、筐体１の高さＨを小さくしてユーザの要望に応じて薄型化や小型化を図る
ことができる。
【００３２】
上記の実施の形態では、風車２１の各羽根２１ｃを垂直方向に沿って配置したが、図７
に示すように、各羽根２１ｃを送風方向ｄに沿って斜め下向きに所定角度α（この実施の
形態では２０°）だけ傾斜させるようにしてもよく、これによって、斜め下向きに傾斜さ
せた各羽根２１ｃにより風を下向きにも送り出すので、メイン基板３の下方に配置したＡ
Ｖ基板４などにも風を送り出して効率良く冷やすことができる。
【図面の簡単な説明】
【００３３】
【図１】本発明の実施の一形態であるディスク装置の水平断面図である。
【図２】同縦断面図である。
【図３】同要部に斜視図である。
【図４】同要部の分解斜視図である。
【図５】（ａ）は同カバーの要部の拡大横断面図、（ｂ）はＡ−Ａ矢視図である。
【図６】（ａ）は同風車付近の縦断面図、（ｂ）同分解斜視図である。
【図７】同風車の変形例を示す側面図である。
【図８】従来例を示す水平断面図である。
【図９】同縦断面図である。
【図１０】同要部の斜視図である。
【符号の説明】
【００３４】
１            筐体
２            装置本体
３            メイン基板
１１          メインシャーシ
１２          ターンテーブル
１３          光ピックアップ
１５          クランパ
１８          羽根体
２１          風車
２１ａ        風車の支軸
２１ｃ        風車の羽根
２２          カバー
２３          送風口
Ｄ            ディスク
【図１】
2007102947.tif 000003
【図２】
2007102947.tif 000004
【図３】
2007102947.tif 000005
【図４】
2007102947.tif 000006
【図５】
2007102947.tif 000007
【図６】
2007102947.tif 000008
【図７】
2007102947.tif 000009
【図８】
2007102947.tif 000010
【図９】
2007102947.tif 000011
【図１０】
2007102947.tif 000012